(57)【特許請求の範囲】
【請求項１】
天井又は壁の下地面に、並べて取付けられる複数枚の矩形状表面パネルの内の少なくとも１枚を、取り外し可能に取り付けるための表面パネル取付構造であって、
前記下地面に取付け用開口が形成されるとともに、この取付け用開口内に入り込む筒状部を有する取付ベースが固定され、この取付ベースの筒状部内に係合部が設けられ、前記表面パネルの裏面に、前記取付ベース内に差し込み可能な挿入部を有する差込アダプタが固定され、この差込アダプタの挿入部の外面に被係合部が設けられ、前記係合部と被係合部の少なくとも一方が弾性を有して、表面パネルの差込アダプタを下地面の取付ベースに差し込むことで、被係合部が係合部に弾性力で係合されて、下地面の取付ベースに表面パネルが弾性力で取付けられるようにしたことを特徴とする表面パネル取付構造。
【請求項２】
前記取付ベースの筒状部の内周面に、内方に突出するばね掛かり部が設けられ、前記表面パネルの差込アダプタの挿入部の外周面に、外方に突出するばね部が設けられて、表面パネルの差込アダプタを下地面の取付ベース内に差し込んだ時に、差込アダプタのばね部が取付ベースのばね掛かり部にばね力で係合することで、下地面の取付ベースに表面パネルが取付けられるようにしたことを特徴とする請求項１に記載の表面パネル取付構造。
【請求項３】
前記取付ベースのばね掛かり部と差込アダプタのばね部は、円周上等角度間隔で複数個が設けられ、取付ベースのばね掛かり部の隣り合う隙間に差込アダプタのばね部を合致させながら表面パネルの差込アダプタを下地面の取付ベース内に差し込んだ後に、表面パネルを回すことで、差込アダプタのばね部を取付ベースのばね掛かり部にばね力で係合させるようにしたことを特徴とする請求項２に記載の表面パネル取付構造。
【請求項４】
前記差込アダプタのばね部は、板ばねで構成され、側面視で略く字状に屈曲されて、表面パネル側の傾斜部を取付ベースのばね掛かり部にばね力で係合させるようにしたことを特徴とする請求項２または３に記載の表面パネル取付構造。
【請求項５】
前記取付ベースの上底部の内面に、側面視で略Ｌ字状に折曲された係合突起部が設けられ、前記差込アダプタの上底部に、平面視で略曲玉状に湾曲された被係合長穴部が設けられて、表面パネルの差込アダプタを下地面の取付ベース内に差し込んで、被係合長穴部の広穴部分を係合突起部に差し込んだ後に、表面パネルを回すことで、係合突起部に被係合長穴部の狭穴部分の周縁部が係合可能になることを特徴とする請求項２〜４のいずれか一項に記載の表面パネル取付構造。
【請求項６】
前記取付ベースの上縁部の内周面に、内方に突出する係合突起部が円周上等角度間隔で設けられ、前記差込アダプタの上縁部の外周面に、外方に突出する被係合突起部が円周上等角度間隔で設けられて、取付ベースの係合突起部の隙間に差込アダプタの被係合突起部を合致させながら表面パネルの差込アダプタを下地面の取付ベース内に差し込んだ後に、表面パネルを回すことで、係合突起部に被係合突起部が係合可能になることを特徴とする請求項２〜４のいずれか一項に記載の表面パネル取付構造。
【発明の詳細な説明】
【技術分野】
【０００１】
本発明は、表面パネル取付構造に関する。
【背景技術】
【０００２】
従来、天井又は壁の下地面に、例えばデザインされた表面パネルを取り付ける場合には、接着剤や目立たない細い釘、タッカー等で取り付ける方法がある。
【０００３】
また、下地面に、表面パネルをねじで取り付ける場合には、表面パネルにねじ用穴をあけてねじ止め固定し、その後に、目隠し部材でねじ用穴を塞ぐ方法がある。
【０００４】
なお、表面パネルとは異なる埋込型照明器具であるが、天井に固定した器具本体に枠体を差し込みながら、枠体の立ち上がり片を器具本体の係止部材に係止することで取り付ける方法もある（特許文献１参照）。
【０００５】
特に、スピーカーや照明といった機能が表面パネルに付加されている場合、メンテナンス等のために、下地面に対して、表面パネルを簡単に取り付け・取り外しできることが望まれている。
【特許文献１】特開平１０−２０８５２０号公報
【発明の開示】
【発明が解決しようとする課題】
【０００６】
しかしながら、接着等の方法では、表面パネルを傷付けずに、迅速に下地面から取り外すことが非常に困難である。
【０００７】
また、ねじ止めの方法では、表面パネルの表面の目隠し部材が目立つのでデザイン性を損ないやすいうえに、ねじ止め作業等が煩わしくて、表面パネルの取り付け・取り外しが簡単かつ迅速に行えないという問題がある。
【０００８】
本発明は、前記問題を解消するためになされたもので、表面パネルを簡単かつ迅速に取り付け・取り外すことができる表面パネル取付構造を提供することを目的とするものである。
【課題を解決するための手段】
【０００９】
前記課題を解決するために、本発明は、天井又は壁の下地面に、並べて取付けられる複数枚の矩形状表面パネルの内の少なくとも１枚を、取り外し可能に取り付けるための表面パネル取付構造であって、前記下地面に取付け用開口が形成されるとともに、この取付け用開口内に入り込む筒状部を有する取付ベースが固定され、この取付ベースの筒状部内に係合部が設けられ、前記表面パネルの裏面に、前記取付ベース内に差し込み可能な挿入部を有する差込アダプタが固定され、この差込アダプタの挿入部の外面に被係合部が設けられ、前記係合部と被係合部の少なくとも一方が弾性を有して、表面パネルの差込アダプタを下地面の取付ベースに差し込むことで、被係合部が係合部に弾性力で係合されて、下地面の取付ベースに表面パネルが弾性力で取付けられるようにしたことを特徴とする表面パネル取付構造を提供するものである。
【００１０】
請求項２のように、前記取付ベースの筒状部の内周面に、内方に突出するばね掛かり部が設けられ、前記表面パネルの差込アダプタの挿入部の外周面に、外方に突出するばね部が設けられて、表面パネルの差込アダプタを下地面の取付ベース内に差し込んだ時に、差込アダプタのばね部が取付ベースのばね掛かり部にばね力で係合することで、下地面の取付ベースに表面パネルが取付けられるようにすることが好ましい。
【００１１】
請求項３のように、前記取付ベースのばね掛かり部と差込アダプタのばね部は、円周上等角度間隔で複数個が設けられ、取付ベースのばね掛かり部の隣り合う隙間に差込アダプタのばね部を合致させながら表面パネルの差込アダプタを下地面の取付ベース内に差し込んだ後に、表面パネルを回すことで、差込アダプタのばね部を取付ベースのばね掛かり部にばね力で係合させるようにすることが好ましい。
【００１２】
請求項４のように、前記差込アダプタのばね部は、板ばねで構成され、側面視で略く字状に屈曲されて、表面パネル側の傾斜部を取付ベースのばね掛かり部にばね力で係合させるようにすることが好ましい。
【００１３】
請求項５のように、前記取付ベースの上底部の内面に、側面視で略Ｌ字状に折曲された係合突起部が設けられ、前記差込アダプタの上底部に、平面視で略曲玉状に湾曲された被係合長穴部が設けられて、表面パネルの差込アダプタを下地面の取付ベース内に差し込んで、被係合長穴部の広穴部分を係合突起部に差し込んだ後に、表面パネルを回すことで、係合突起部に被係合長穴部の狭穴部分の周縁部が係合可能になることが好ましい。
【００１４】
請求項６のように、前記取付ベースの上縁部の内周面に、内方に突出する係合突起部が円周上等角度間隔で設けられ、前記差込アダプタの上縁部の外周面に、外方に突出する被係合突起部が円周上等角度間隔で設けられて、取付ベースの係合突起部の隙間に差込アダプタの被係合突起部を合致させながら表面パネルの差込アダプタを下地面の取付ベース内に差し込んだ後に、表面パネルを回すことで、係合突起部に被係合突起部が係合可能になることが好ましい。
【発明の効果】
【００１５】
本発明によれば、天井又は壁の下地面に、並べて取付けられる複数枚の表面パネルの内の少なくとも１枚の表面パネルの差込アダプタを天井又は壁の下地面の取付ベースに差し込む。これにより、表面パネルの差込アダプタの被係合部が天井又は壁の下地面の取付ベースの係合部に弾性力で係合されて、下地面の取付ベースに表面パネルが弾性力で取付けられるようになる。
【００１６】
したがって、表面パネルを簡単かつ迅速に下地面に取り付けることができ、逆に、表面パネルの裏面の被係合部を、下地面の取付ベースから引き抜くことで、表面パネルを簡単かつ迅速に下地面の取付ベースから取り外すことができる。
【００１７】
また、表面パネルを下地面の取付ベースの方向に移動しなくなるまで押し込むことで位置決めすれば、表面パネルが隣接する表面パネルと略面一となるように、取り付けることができる。さらに、表面パネルに差込アダプタを設け、下地面に取付ベースを設けるだけであるから、構造が簡単になる。
【００１８】
請求項２によれば、表面パネルの差込アダプタを下地面の取付ベースに差し込んだ時に、差込アダプタのばね部が取付ベースのばね掛かり部にばね力で係合することで、下地面の取付ベースに表面パネルが取付けられるようになる。
【００１９】
請求項３によれば、取付ベースのばね掛かり部の隙間に差込アダプタのばね部を合致させながら表面パネルの差込アダプタを下地面の取付ベース内に差し込む。その後に、表面パネルを回すことで、差込アダプタのばね部を取付ベースのばね掛かり部にばね力で係合させるから、差し込みが軽い力でスムーズに行えるようになる。
【００２０】
請求項４によれば、差込アダプタの板ばねを側面視で略く字状に屈曲させて、表面パネル側の傾斜部を取付ベースのばね掛かり部にばね力で係合させることで、表面パネルを取付ベース側に引き込む方向にばね力が作用するようになる。したがって、表面パネルが取付ベースのフランジ部等にばね力に抗して当て止められることで、表面パネルが差し込み位置で正確に位置決めされる。これによって、隣接する表面パネルと略面一となるように、表面パネルをより正確に取り付けることができる。
【００２１】
請求項５によれば、表面パネルの差込アダプタを下地面の取付ベース内に差し込みながら、被係合長穴部の広穴部分を係合突起部に差し込む。その後に、表面パネルを回すことで、係合突起部に被係合長穴部の狭穴部分の周縁部が係合可能になるので、表面パネルが下地面の取付ベースから脱落するおそれがなくなる。
【００２２】
請求項６によれば、表面パネルの差込アダプタを下地面の取付ベース内に差し込みながら、被係合突起部を係合突起部の隙間に差し込む。その後に、表面パネルを回すことで、係合突起部に被係合突起部が係合可能になるので、表面パネルが下地面の取付ベースから脱落するおそれがなくなる。
【発明を実施するための最良の形態】
【００２３】
以下、本発明を実施するための最良の形態について、図面を参照しながら詳細に説明する。
【００２４】
図１および図２に示すように、建物内の天井下地材（下地面）１の下面には、複数枚の矩形状表面パネル３が僅かの隙間ｔを隔てて、かつ面一で縦横に並べて取り付けられている〔図３（ｅ）参照〕。本例の表面パネル３は、例えば３０〜４５ｃｍ角程度の正四角形状に形成されていて、表面（下面）が彩色や模様等で化粧されたものであり、木質材、樹脂材、セラミック材、これらの複合材等で製造されている。
【００２５】
そして、これら複数枚の矩形状表面パネル３の全てを取り外し可能に取り付ける必要は無く、少なくとも１枚が取り外し可能に取り付けられれば良い。以下では、取り外し可能に取り付けられる表面パネル３のみについて説明する。
【００２６】
表面パネル３を取り付ける天井下地材１の取り付け位置には、その中央部分に取付け用開口２が形成されている。この取付け用開口２に下方から差し込んだ時に、天井下地材１の内部に突出する筒状部５ｇを有する取付ベース５が設けられ、この取付ベース５の下フランジ部５ａを天井下地材１の下面に当て止めることで位置決めされるようになる。この下フランジ部５ａをねじ等で天井下地材１に固定することで、天井下地材１に取付ベース５が固定されるようになる。
【００２７】
この取付ベース５の内周面には、円周上等角度間隔で内方に突出する複数個（本例では９０度間隔で４個）の円弧状ばね掛かり部（係合部）５ｂが設けられている。このばね掛かり部５ｂの両端部は、後述する板ばね７が乗り上げ易くするために傾斜されている。ばね掛かり部５ｂは、取付ベース５の内周面の一部を内向きに切り起こして一体形成することができる他、別部品を溶接等して設けることもできる。
【００２８】
表面パネル３の裏面の中央部分には、天井下地材１の取付ベース５内に下方から差し込み可能な円筒状の差込アダプタ６の下フランジ部６ａがねじ等で固定されている。この差込アダプタ６の挿入部の外周面に位置して、円周上等角度間隔で、差込アダプタ６の外周面から外方に突出する複数個（本例では９０度間隔で４個）の板ばね（被係合部）７が設けられている。各板ばね７は、側面視で外向きに略く字状に屈曲されて、下端ベース部７ａが表面パネル３の裏面にねじ等で固定されている。なお、板ばね７に代えて、ボールとコイルばね等を組み合わせたクリック状のばね部であっても良い。
【００２９】
取付ベース５のばね掛かり部５ｂと差込アダプタ６の板ばね７との位置関係は次の通りである。図２（ｃ）および図３（ｅ）の表面パネル３の正規取り付け状態に対して、図２（ａ）および図３（ａ）の表面パネル３を約４５度で回した取り付け準備状態において、取付ベース５のばね掛かり部５ｂの隣り合う隙間ｓ〔図１（ｂ）参照〕に差込アダプタ６の板ばね７が合致するようになっている。
【００３０】
そして、表面パネル３の差込アダプタ６を天井下地材１の取付ベース５内に下方から差し込んだ後に〔図２（ａ）（ｂ）参照〕、表面パネル３を図３（ｃ）の矢印ａの方向に、約４５度で回す。これにより、表面パネル３が図３（ｅ）の正規取り付け状態となり、この時に、図２（ｃ）のように、差込アダプタ６の板ばね７が取付ベース５のばね掛かり部５ｂに乗り上げながら、ばね力（弾性力）で係合するようになる。
【００３１】
この時、板ばね７は、表面パネル３側の傾斜部７ｂが取付ベース５のばね掛かり部５ｂにばね力で係合するようになる。
【００３２】
一方、取付ベース５の上底部５ｃの内面には、側面視で内向きＬ字状に折曲された一対の係合突起部９ａを左右部に有する係合金具９が溶接等で固定して設けられている。また、差込アダプタ６の上底部６ｃには、図３に示したように、平面視で曲玉状に湾曲された一対の被係合長穴部６ｄが打ち抜きで一体的に設けられている。
【００３３】
前述した取付ベース５のばね掛かり部５ｂと差込アダプタ６の板ばね７との位置関係との関連で、取付ベース５側の係合突起部９ａと差込アダプタ６の被係合長穴部６ｄとの位置関係は次の通りである。図３（ｅ）の表面パネル３の正規取り付け状態に対して、図３（ａ）の表面パネル３を約４５度で回した取り付け準備状態において、取付ベース５側の係合突起部９ａに差込アダプタ６の被係合長穴部６ｄの広穴部分６ｅが合致する。
【００３４】
そして、表面パネル３の差込アダプタ６を天井下地材１の取付ベース５内に下方から差し込むと、被係合長穴部６ｄの広穴部分６ｅが係合突起部９ａに差し込まれるようになる〔図２（ａ）（ｂ）および図３（ｂ）（ｄ）参照〕。
【００３５】
その後に、表面パネル３を図３（ｃ）の矢印ａの方向に、約４５度で回す。これにより、表面パネル３が図３（ｅ）の正規取り付け状態となり、この時に、図３（ｆ）のように、係合突起部９ａが被係合長穴部６ｄの狭穴部分６ｆに入り込むことで、係合突起部９ａに被係合長穴部６ｄの狭穴部分６ｆの周縁部が係合可能になる。
【００３６】
前記のような構成において、表面パネル３を取り付ける場合には、図３（ｅ）の正規取り付け状態に対して、図３（ａ）の約４５度の取り付け準備状態に表面パネル３を回す。これにより、天井下地材１の取付ベース５のばね掛かり部５ｂの隣り合う隙間ｓに表面パネル３の差込アダプタ６の板ばね７が合致するようになる。また、取付ベース５側の係合突起部９ａに差込アダプタ６の被係合長穴部６ｄの広穴部分６ｅが合致するようになる。
【００３７】
この状態で、表面パネル３の差込アダプタ６を天井下地材１の取付ベース５内に下方から差し込むと、差込アダプタ６の板ばね７が取付ベース５のばね掛かり部５ｂの隣り合う隙間ｓに抵抗無く入り込むようになる。同時に、取付ベース５側の係合突起部９ａに差込アダプタ６の被係合長穴部６ｄの広穴部分６ｅが差し込まれるようになる。
【００３８】
その後、表面パネル３を図３（ｃ）の矢印ａの方向に、約４５度で回すと、差込アダプタ６の板ばね７が取付ベース５のばね掛かり部５ｂに乗り上げながら、ばね力（弾性力）で係合するようになる。この板ばね７は、表面パネル３側の傾斜部７ｂが取付ベース５のばね掛かり部５ｂにばね力で係合する。同時に、取付ベース５側の係合突起部９ａが差込アダプタ６の被係合長穴部６ｄの狭穴部分６ｆに入り込むことで、係合突起部９ａに被係合長穴部６ｄの狭穴部分６ｆの周縁部が係合可能になる。最後に、表面パネル３を天井下地材１の方向に移動しなくなるまで押し込む。
【００３９】
このように、表面パネル３の差込アダプタ６を天井下地材１の取付ベース５に差し込むことで、板ばね７がばね掛かり部５ｂにばね力で係合するようになるから、天井下地材１に表面パネル３がばね力で取付けられるようになる。
【００４０】
したがって、表面パネル３を簡単かつ迅速に天井下地材１に取り付けることができる。逆に、表面パネル３の差込アダプタ６を、前記と逆の手順で天井下地材１の取付ベース５から引き抜くことで、表面パネル３を簡単かつ迅速に天井下地材１から取り外すことができる。
【００４１】
また、表面パネル３を天井下地材１の方向に移動しなくなるまで押し込むことで、位置決めすれば、表面パネル３が隣接する表面パネル３と略面一となるように、取り付けることができる。
【００４２】
特に、差込アダプタ６の板ばね７を側面視でく字状に屈曲させて、表面パネル３側の傾斜部７ｂを取付ベース５のばね掛かり部５ｂにばね力で係合させることで、表面パネル３を取付ベース５側に引き込む方向にばね力が作用するようになる。したがって、表面パネル３が取付ベース５の下フランジ部５ａにばね力に抗して当て止められることで、表面パネル３が差し込み位置で正確に位置決めされるので、隣接する表面パネル３と略面一となるように、表面パネル３をより正確に取り付けることができる。
【００４３】
さらに、表面パネル３に差込アダプタ６を設け、天井下地材１に取付ベース５を設けるだけであるから、構造が簡単になる。
【００４４】
また、取付ベース５のばね掛かり部５ｂの隙間ｓに差込アダプタ６の板ばね７を合致させながら表面パネル３の差込アダプタ６を天井下地材１の取付ベース５内に差し込む。その後に、表面パネル３を回すことで、差込アダプタ６の板ばね７を取付ベース５のばね掛かり部５ｂにばね力で係合させるから、差し込みが軽い力でスムーズに行えるようになる。
【００４５】
さらに、表面パネル３の差込アダプタ６を天井下地材１の取付ベース５内に差し込んで、差込アダプタ６の被係合長穴部６ｄの広穴部分６ｅを取付ベース５側の係合突起部９ａに差し込む。その後に、表面パネル３を回すことで、取付ベース５側の係合突起部９ａが差込アダプタ６の被係合長穴部６ｄの狭穴部分６ｆに入り込む。これにより、係合突起部９ａに被係合長穴部６ｄの狭穴部分６ｆの周縁部が係合可能になることで、表面パネル３が天井下地材１から脱落するおそれがなくなる。
【００４６】
図１〜図３の実施形態では、取付ベース５に、係合突起部９ａを有する係合金具９を設け、差込アダプタ６に、被係合長穴部６ｄを打ち抜きで設けたものであるが、図４および図５に示す変形例のように構成することもできる。
【００４７】
すなわち、取付ベース５の上縁部の内周面に、内方に突出する円弧状の係合突起部５ｄが円周上等角度間隔（本例では１８０度で２個）で設けられている。また、差込アダプタ６の上縁部の外周面に、外方に突出する被係合突起部６ｇが円周上等角度間隔（本例では１８０度で２個）で設けられている。
【００４８】
前述した取付ベース５のばね掛かり部５ｂと差込アダプタ６の板ばね７との位置関係との関連で、取付ベース５の係合突起部５ｄと差込アダプタ６の被係合突起部６ｇとの位置関係は次の通りである。図４（ｄ）、図５（ｅ）（ｆ）の表面パネル３の正規取り付け状態に対して、図４（ｂ）、図５（ａ）（ｂ）の表面パネル３を約４５度で回した取り付け準備状態では、取付ベース５の係合突起部５ｄの隙間ｕに差込アダプタ６の被係合突起部６ｇが合致する。
【００４９】
そして、表面パネル３の差込アダプタ６を天井下地材１の取付ベース５内に下方から差し込むと、被係合突起部６ｇが係合突起部５ｄの隙間ｕに差し込まれるようになる〔図４（ｂ）（ｃ）および図５（ａ）（ｃ）参照〕。
【００５０】
その後に、表面パネル３を図５（ｄ）の矢印ａの方向に、約４５度で回す。これにより、表面パネル３が図４（ｄ）および図５（ｅ）（ｆ）の正規取り付け状態となり、この時に、係合突起部５ｄに被係合突起部６ｇが係合可能になる。
【００５１】
この構成であっても、表面パネル３が天井下地材１から脱落するおそれがなくなる。
【００５２】
前記実施形態では、天井下地材１に表面パネル３を取り付けたが、壁面に表面パネル３を取り付けることもできる。
【００５３】
前記実施形態では、表面パネル３は、表面（下面）が彩色や模様等で化粧されたものであったが、例えば、スピーカーや照明器具を組み込んだ表面パネル３とすることができる。スピーカーを組み込んだ場合には、差込アダプタ６の内部空間に加振器を嵌め込むことができる。照明器具を組み込んだ場合には、差込アダプタ６の内部空間に安定器を嵌め込むことができる。いずれの場合にも、表面パネル３を簡単かつ迅速に取り外せるので、メンテナンスが容易に行えるようになる。
【図面の簡単な説明】
【００５４】
【図１】本発明の実施形態の表面パネル取付構造であり、（ａ）は分解斜視図、（ｂ）は取付ベースの下面側斜視図である。
【図２】（ａ）は取り付け準備状態の表面パネルと天井下地材の断面図、（ｂ）は取付ベースに差込アダプタを差し込んだ時の表面パネルと天井下地材の断面図、（ｃ）は正規取り付け状態の表面パネルと天井下地材の断面図である。
【図３】（ａ）は取り付け準備状態の表面パネルの正面図、（ｂ）は（ａ）の係合突起部と被係合長穴部との関係を示す平面断面図、（ｃ）は取付ベースに差込アダプタを差し込んだ時の表面パネルの正面図、（ｄ）は（ｃ）の係合突起部と被係合長穴部との関係を示す平面断面図、（ｅ）は正規取り付け状態の表面パネルの正面図、（ｆ）は（ｅ）の係合突起部と被係合長穴部との関係を示す平面断面図である。
【図４】本発明の変形例の表面パネル取付構造であり、（ａ）は分解斜視図、（ｂ）は取り付け準備状態の表面パネルと天井下地材の断面図、（ｃ）は取付ベースに差込アダプタを差し込んだ時の表面パネルと天井下地材の断面図、（ｄ）は正規取り付け状態の表面パネルと天井下地材の断面図である。
【図５】（ａ）は取り付け準備状態の表面パネルと天井下地材の斜視図、（ｂ）は（ａ）の表面パネルの正面図、（ｃ）は取付ベースに差込アダプタを差し込んだ時の表面パネルと天井下地材の斜視図、（ｄ）は（ｃ）の表面パネルの正面図、（ｅ）は正規取り付け状態の表面パネルと天井下地材の斜視図、（ｆ）は（ｅ）の表面パネルの正面図である。
【符号の説明】
【００５５】
１    天井下地材（下地面）
２    取付け用開口
３    表面パネル
５    取付ベース
５ｂ  ばね掛かり部（係合部）
５ｃ  上底部
５ｄ  係合突起部
５ｇ  筒状部
６    差込アダプタ
６ｃ  上底部
６ｄ  被係合長穴部
６ｅ  広穴部分
６ｆ  狭穴部分
６ｇ  被係合突起部
７    板ばね（被係合部）
７ｂ  傾斜部
９    係合金具
９ａ  係合突起部
ｓ，ｔ，ｕ  隙間
【図１】
0004788724.tif 000002
【図２】
0004788724.tif 000003
【図３】
0004788724.tif 000004
【図４】
0004788724.tif 000005
【図５】
0004788724.tif 000006